(57)【要約】      （修正有）【課題】果実を大きさに応じて選別する際、少なくとも果実の二つの方向における大きさを基準として選別することができ、しかも果実に損傷を与えないようにした果実用の選別装置を提供する。【解決手段】相互にスライド自在に重なり合う第１部材１０と第２部材２０とからなる選別部と、この第１部材及び第２部材の少なくとも何れかをスライド動作させる駆動部とからなり、第１部材には、上下方向に貫通する少なくとも１つ以上の第１開口部１５を設け、第２部材には上下方向に貫通する少なくとも１つ以上の第２開口部２５を設け、第１開口部と第２開口部とは、前記第１部材と第２部材とのスライド動作により相互に重なり合って、第１部材と第２部材を貫通する正方形の貫通孔３０を形成し、当該貫通孔の開口面積は、第１部材と第２部材とのスライド動作によって拡大又は縮小する。【選択図】図１
0003162470.tif 000002
【実用新案登録請求の範囲】
【請求項１】
相互にスライド自在に重なり合う第１部材と第２部材とからなる選別部と、当該第１部材及び第２部材の少なくとも何れかをスライド動作させる駆動部とからなり、
前記第１部材には、上下方向に貫通する少なくとも１つ以上の第１開口部が設けられており、
前記第２部材には、上下方向に貫通する少なくとも１つ以上の第２開口部が設けられており、
当該第１開口部と第２開口部とは、前記第１部材と第２部材とのスライド動作により相互に重なり合って、第１部材と第２部材を貫通する正方形の貫通孔を形成し、
当該貫通孔の開口面積は、第１部材と第２部材とのスライド動作によって拡大又は縮小することを特徴とする、選別装置。
【請求項２】
前記第１開口部と第２開口部とは、何れも、直角に交わる直線状の縁部分を有しており、
前記貫通孔は、重なり合う第１開口部と第２開口部の前記縁部分で形作られている、請求項１に記載の選別装置。
【請求項３】
前記第１開口部と第２開口部とは、何れも正方形に開口しており、
前記第１部材と第２部材のスライドは、当該正方形に形成された第１開口部と第２開口部との対角方向に行われる、請求項１又は２に記載の選別装置。
【請求項４】
前記第１部材は円盤状に形成されると共に、前記第１開口部は当該円盤状に形成された第１部材の周方向に複数配置されており、
前記第２部材は、複数の第１開口部に対応して放射方向にスライド自在に設けられており、
前記駆動部は、当該第１部材を回転させる回転手段と、当該第１部材の回転に伴って回転する第２部材を進退させる、当該第１部材の回転軸に対して偏心配置したガイド部材とで構成されている請求項１乃至３の何れか一項に記載の選別装置。
【請求項５】
前記駆動部は、向かい合って配置されると共に移動方向に両者の間隔が異なっている２条の搬送部材を用いて形成されており、
前記第１部材は何れか一方の搬送部材に設けられると共に、前記第２部材は他の搬送部材に設けられ、当該搬送部材同士の間隔に従って当該第１部材と第２部材とがスライド移動し、前記第１開口部と第２開口部とが重なり合って、前記貫通孔を出現させる、請求項１乃至３の何れか一項に記載の選別装置。
【請求項６】
前記重なり合う第１部材および第２部材の内、上方に存在する部材の開口部近傍には、当該開口の少なくとも一部を囲むように、上方に向かって広がっている漏斗状部が設けられている請求項１乃至５の何れか一項に記載の選別装置。
【考案の詳細な説明】
【技術分野】
【０００１】
本考案は略球体形状の果実等を選別する為の選別装置に関し、特に完全な球体ではないサクランボ等の果実を選別するのに適した選別装置に関する。
【背景技術】
【０００２】
一般に、収穫したサクランボ、トマト、梅などの果実を市場に出荷する場合には、その商品価値を高めるか或いは一定に保つ為に、大、中、小、又はＬＬ、Ｌ、Ｍ、Ｓ、ＳＳなどのようにサイズごとに選別することが行われている。
【０００３】
そして従前においては、比較的軽量でその外観形状が略球形の果実をサイズ毎に選別するための装置として、ドラム方式と呼ばれる選別装置や、ベルト方式と呼ばれる選別装置が提供されている。ドラム方式の選別装置は、側壁に所定サイズの果実のみを通過させる略円形の複数の選別孔を形成した複数のドラムを緩く回転させ、選別孔を通過する果実とこの選別孔を通過できないでドラム内に残存する果実とに選別する、所謂ふるい効果によって当該果実を順次選別するものであり、一方、ベルト方式の選別装置は、複数の長いコンベアーベルト同士の間隔を、果実の投入口から出口に向かうにつれて一定の割合で広くなるように張着して所定方向に走行させるものであり、投入口から投入した果実を出口に向けて搬送する過程で、ベルト間隔より小さい径の果実を順次落下させ、所定のベルト巾を有する複数の区間に区分することにより当該果実を順次選別するものである。
【０００４】
また、本考案の考案者は、これまで特許文献１（実用新案登録第３１３４０１５号公報）にかかるサクランボ選別作業台、および特許文献２（特開２００６−３２０８６６号公報）にかかる果実選別装置とその選別方法を提案している。
【０００５】
すなわち特許文献１では、小型軽量化で安価であるため作業小屋やハウスの中でも使用可能であり、しかも選別を確実にするべく、収穫したサクランボをコンテナから移す傾斜作業台と、この傾斜作業台の下部に、作業台から落ちて来るサクランボを一列に並べる第１のチェックゾーンを設け、さらにその下にサクランボの粒の大きさをチェックして規定された粒に選別する第２の分別ゾーンを設けたサクランボ選別作業台を提案している。
【０００６】
また特許文献２では、サクランボ等の傷みやすい未選別果実を整列、分岐し、搬送、選別、計測を連続的に行い、果実の選別と容器への収納梱包の効率化をはかり、小型で軽量、簡単な装置とし、格納、設置場所、移動等のトータル的に大幅なコストダウンを図るべく、サクランボ等の果実の供給部の末端部で果実の整列と分岐を行い、搬送、選別用のロープ等の搬送材、架台等を必要最小限に構成し、かつ選別された果実を装置側面に配設した計測器上の各梱包容器に方向変換兼仕切部でそれぞれの容器に区分して供給し、重量を連続的に測定し、設定重量を表示すると共に、装置を停止し、梱包容器交換で再度、始動する制御部を一体に設けた果実選別装置を提案している。
【０００７】
更に果実の内、特にサクランボの選別に際しては、現在、約２ｍｍ厚の板部材に、大きさが異なる大小約５種類の孔を形成したサクランボ規格板が使用されており、何れの大きさの孔をサクランボが通過できるかによってサイズ分けしているのが実情である。
【先行技術文献】
【特許文献】
【０００８】
【特許文献１】実用新案登録第３１３４０１５号公報
【特許文献２】特開２００６−３２０８６６号公報
【考案の概要】
【考案が解決しようとする課題】
【０００９】
上記の背景技術にも記載しているように、従前においても果実などの大きさを選別する為の機会は種々提案されている。しかしながら、これまでに提案されている種々の果実選別機は、果実の大きさを一方向の径（大きさ）でしか測定していなかった。このため、球体に対しては正確にサイズを分類することができるが、何れかの部位が突起していたり、変形していたり、球体でない場合には、最も計が大きくなっている部分がどの向きに向いているかによって、適格に分類されないと言った問題が考えられた。この点は、本考案者が考案した実用新案登録文献１および２でも同じである。
【００１０】
一方、収穫される果実は天然物であることから、完全な球体（真球）で得られることは無く、少なからず何れかの方向が大きく出っ張っているか、或いは偏球や歪な球体として得られるのが通常である。よって、この様な真球でない果実を前記した従前の果実選別機で仕分けしても、仕分けされた果実の大きさに誤差が生じてしまうことが考えられる。
【００１１】
このような真球でない果実の大きさを分類するには、前記したサクランボ規格板のように、一方向の長さ（大きさ）だけでなく、複数の方向の長さ（大きさ）によって分類するのが最適であるが、この規格板を使用して大きさを分類する場合には、サクランボを１個づつ持って計測しなければならず、多大な作業労力と作業時間を要するものとなっていた。特に鮮度の保持が困難であったり、鮮度が重要な商品価値を有するサクランボなどの果実の場合には、一定の短期間のうちに大量の果実を選別しなければならず、また生産者の高齢化も年々進んでいることから、収穫・出荷時期は短期間でありながらも、昼夜を問わず選別作業を行わなければならないものとなっていた。
【００１２】
そこで本考案は、真球でない果実を、大きさに応じて正確に選別できるようにした果実用の選別装置を提供することを第１の課題とする。
【００１３】
また従来提供されているドラム方式の選別装置は、回転するドラムに開口させた選別孔を通過させることにより選別を行うものであり、果実の一方向だけの大きさによる誤差は少ないと考えられる。しかしながら選別時においてドラムの回転により果実同士が衝突したり、ドラムの内面に衝突したりして果実が損傷することがあった。
【００１４】
そこで本考案は、果実を大きさに応じて選別する際、少なくとも果実の二つの方向における大きさを基準として選別することができ、しかも果実に損傷を与えないようにした果実用の選別装置を提供することを第２の課題とする。
【００１５】
更に、果実のうち特にサクランボなどにおいては、その商品価値を高める為に、枝をつけた状態で出荷されている。このため果実の大きさを測って選別する際に、この枝の部分の存在により果実部分だけを正確に測定することが困難であった。
【００１６】
そこで本考案は、サクランボのように枝がついた果実であっても、枝をつけた状態で果実部分の大きさを正確に測り、且つ分類できるようにした果実用の選別装置を提供することを第三の課題とする。
【課題を解決するための手段】
【００１７】
上記課題の少なくとも何れかを解決するべく、本考案では正方形に開口する貫通孔を出現させ、この貫通孔の大きさを変化させることにより、矩形に開口する貫通孔の対向する辺同士の間隔、即ち２方向における大きさで果実の大きさを判断するようにした果実用の選別装置を提供するものである。
【００１８】
即ち、前記課題の少なくともいずれかを解決する本考案の果実用の選別装置は、相互にスライド自在に重なり合う第１部材と第２部材とからなる選別部と、当該第１部材及び第２部材の少なくとも何れかをスライド動作させる駆動部とからなり、前記第１部材には、上下方向に貫通する少なくとも１つ以上の第１開口部が設けられており、前記第２部材には、上下方向に貫通する少なくとも１つ以上の第２開口部が設けられており、当該第１開口部と第２開口部とは、前記第１部材と第２部材とのスライド動作により相互に重なり合って、第１部材と第２部材を貫通する正方形の貫通孔を形成し、当該貫通孔の開口面積は、第１部材と第２部材とのスライド動作によって拡大又は縮小する様に形成している。
【００１９】
上記第１部材と第２部材とは、多くの場合、板状に形成される事になるが、必ずしも板状に限らず、スライドする面以外の面が立体的に凹凸を備える形状に形成されていても良い。ただし、第１部材と第２部材における相互にスライドする面同士は、原則として平坦に形成されている事が望ましいが、スライド方向に沿う向きの溝などは形成されていても良い。また第１部材と第２部材とのスライドは、両者が接触してスライドする場合のみならず、僅かな隙間をおいてスライドする場合を含む。
【００２０】
上記第１部材には、上下方向、即ちスライドする面に鉛直な向きに貫通する１つ以上の第１開口部が形成されている。また第２部材にも、同じく上下方向、即ちスライドする面に鉛直な向きに貫通する１つ以上の第２開口部が形成されている。この第１開口部と第２開口部とは、第１部材と第２部材とにおけるスライド移動により重なり合って、第１部材及び第２部材を通して貫通する貫通孔を出現させる。この貫通孔は、正方形に開口するものであり、当該第１部材と第２部材とにおけるスライド移動により、即ち第１開口部と第２開口部との重なり合い具合により、正方形の開口面積が変化することになる。
【００２１】
このように、正方形の開口形状であって、その開口面積を異ならせる為には、前記第１開口部と第２開口部とは、何れも、直角に交わる直線状の縁部分を有する形状に形成し、前記貫通孔を、重なり合う第１開口部と第２開口部の前記縁部分で形作るようにすることが望ましい。そして第１開口部と第２開口部とが、直角に交わる直線状の縁部分における交角（直角部分）の２等分線方向にスライド移動して重なり合うことが望ましい。これにより、正方形であって、しかも開口面積を異ならせることのできる貫通孔を実現することができる。
【００２２】
更に望ましい実施の態様では、前記第１開口部と第２開口部との何れも正方形に開口する形状に形成し、前記第１部材と第２部材とのスライド動作は、当該正方形に形成された第１開口部と第２開口部との対角方向に移動して行われるようにすることができる。
【００２３】
上記第１部材と第２部材とは、上下に重なり合って配置されるものであるが、少なくと両部材同士間におけるスライド動作により、各開口部が重なり合うように上下に重なっていれば良い。よって、本考案における「重なり合う」とは、例えば何れか一方の部材（第１部材又は第２部材）を、断面略「コ」字状に形成し、他の部材がこの横向きに空いた溝内に進退自在に配置されている場合も含む概念である。即ち、この場合においても、断面「コ」字状に形成された上の面、又は下の面と、その溝内に進退自在な他の部材とは、上下方向に重なる事があるためである。
【００２４】
また、本考案にかかる果実用の選別装置において、特にサクランボのように枝を伴って収穫され、かつ出荷される果実の場合には、当該貫通孔を通過する果実の大きさを測定する際に、当該枝が邪魔になることが無いように、常に果実部分が貫通孔の縁部に接するように形成することが望ましい。その為には、例えば前記重なり合う第１部材および第２部材の内、上方に存在する部材の開口部近傍には、当該開口の少なくとも一部を囲むように、上方に向かって広がって開口する漏斗状部を設ける事が望ましい。この様な漏斗状部を設けることにより、サクランボのように枝を具備する果実は、枝が当該漏斗状部によって支持され、大凡起立したかのような姿勢となり、下側に存在する果実が貫通孔に接して、そのサイズが測定されることになる。
【００２５】
そして本考案では、この第１部材と第２部材との間におけるスライド動作を行うものとして、駆動部を伴って形成される。この駆動部は、モーターや内燃機関などの動力を利用する他、手動によって両部材のスライド移動を行うものであっても良い。
【００２６】
例えば、前記第１部材を円盤状に形成すると共に、当該円盤状に形成した第１部材の周方向に複数の前記第１開口部を配置し、一方で前記第２部材を、複数の第１開口部に対応させて、且つ当該円盤状の第１部材の放射方向にスライド自在に設けて形成し、この場合において、前記駆動部は、当該第１部材を回転させる回転手段と、当該第１部材の回転に伴って回転する第２部材を進退させる、当該第１部材の回転軸に対して偏心配置したガイド部材とで構成することができる。
【００２７】
このように形成した果実用の選別装置では、円盤状の第１部材の回転に伴い、第２部材はガイド部材に案内されて第１部材の放射方向に進退動作（スライド動作）を行い、その結果、夫々の部材に形成されている開口部同士が重なり合って貫通孔を出現させると共に、更なる第１部材の回転動作と第２部材の進退動作により、当該貫通孔の開口面積を変化させる。この貫通孔は、第１部材の回転に伴って開口面積が広がっていき、最大の開口面積になった後には開口面積が減少していき、最小の開口面積になった後には再び開口面積が広がっていくという周期で貫通孔のサイズ変更を繰り返すことになる。そして果実の投入は、開口面積が広がっていく最初の段階で行われ、開口面積の拡大に伴って（第１部材の回転に伴って）、果実が通る大きさまで貫通孔の開口面積が広がった所で、当該貫通孔から落下することになる。即ち果実が貫通孔を通過して落下した場所がその果実の大きさになり、当該位置、または当該落下した位置の近傍の範囲に落下した果実は、全て大凡同じ大きさになることになる。
【００２８】
例えばサクランボにおいては、その大きさの規格がＳ（１６ｍｍ以上）、Ｍ（１９ｍｍ以上）、Ｌ（２２ｍｍ以上）、２Ｌ（２５ｍｍ以上）、３Ｌ（２８ｍｍ以上）の５段階に定められていていることから、四角形に開口する貫通孔の対向する辺の長さが１６ｍｍ以上１９ｍｍ未満までの大きさの時に貫通孔を通過するサクランボをＳサイズに分類するように区画し、当該長さが１９ｍｍ以上２２ｍｍ未満までの大きさの時に貫通孔を通過するサクランボをＭサイズに分類するように区画し、当該長さが２２ｍｍ以上２５ｍｍ未満までの大きさの時に貫通孔を通過するサクランボをＬサイズに分類するように区画し、当該長さが２５ｍｍ以上２８ｍｍ未満までの大きさの時に貫通孔を通過するサクランボを２Ｌサイズに分類するように区画し、当該長さが２８ｍｍ以上の大きさの時に貫通孔を通過するサクランボを３Ｌサイズに分類するように区画することができる。
【００２９】
また、他の実施の形態において、向かい合わせて配置した２条の搬送部材を前記駆動部とすることもできる。この場合において、２条の搬送部材はその移動方向に沿って両者の間隔が異なっている必要があり、例えば一方から他方に向かって、当該搬送部材同士の間隔を狭めるか、或いは広めるようにして２条の搬送部材を組み合わせることができる。そしてこのように移動方向に間隔が異なっている夫々の搬送部材同士には、第１部材または第２部材が設けられることになる。即ち、前記第１部材は何れか一方の搬送部材に設けると共に、前記第２部材は他の搬送部材に設ける。このように形成した果実用の選別装置では、当該搬送部材同士の間隔に従って当該第１部材と第２部材とがスライド移動し、前記第１開口部と第２開口部とが重なり合って前記貫通孔を出現させる事ができる。即ち、この場合においても第１部材と第２部材とは重なり合って配置されることが必要になる。
【００３０】
また、本考案にかかる果実用の選別装置で選別可能な果実は、大凡球形であれば特に問わないが、望ましくは比較的軽量で大凡球状を呈している、サクランボ、すもも、トマト、ミカン、キンカンなどの球状の果実や野菜が考えられる。なお、本考案にかかる選別装置を、大凡球状に形成された工業製品や砂利などを大きさごとに選別するものとして使用することも、もちろん可能である。
【考案の効果】
【００３１】
以上のように構成された本考案にかかる果実用の選別装置によれば、サクランボなどの果実の大きさを判断する為の貫通孔は矩形であって、当該矩形の貫通孔が大きさを変化させる（即ち開口面積を変化させる）様に形成される。そしてこの様な正方形に開口する貫通孔では、対向する辺同士の間の距離、即ち２方向の距離で果実の大きさを判断することになるから、真球でない果実であっても、確実に大きさを判断することができるようになる。
【００３２】
よって本考案では、真球でない果実を、大きさに応じて正確に選別できるようにした果実用の選別装置が実現することになる。
【００３３】
更に、この正方形の貫通孔は、その大きさを変化させることができるのであるから、従来提供されているドラム方式の選別装置のように、選別する部分を回転させる必要は無く、その結果、選別時における果実の損傷を無くすことができる。
【００３４】
よって本考案により、果実を大きさに応じて選別する際、少なくとも果実の二つの方向における大きさを基準として選別することができ、しかも果実に損傷を与えないようにした果実用の選別装置が提供されることになる。
【００３５】
更に、本考案にかかる果実用の選別装置において、重なり合う第１部材および第２部材の内、上方に存在する部材の開口部近傍に漏斗状部を設けることにより、サクランボのように枝がついた果実であっても、当該枝の部分を漏斗状部が保持して果実部分を貫通孔に対向させることができるので、枝をつけた状態の果実であっても、その果実部分の大きさを正確に測ることができ、よって枝の有無にかかわらず正確に分類できるようにした果実用の選別装置が提供されることになる。
【図面の簡単な説明】
【００３６】
【図１】第１部材と第２部材の実施の形態を示す平面透視図
【図２】第１部材と第２部材の他の実施の形態を示す平面透視図
【図３】１の実施形態にかかる果実用の選別装置を示す略図
【図４】他の実施形態にかかる果実用の選別装置を示す略図
【図５】漏斗状部を設けた実施態様を示す斜視分解図
【考案を実施するための形態】
【００３７】
以下、本考案にかかる果実用の選別装置の幾つかの実施の形態を、図面を参照しながら説明する。特に本実施の形態にかかる果実用の選別装置は、サクランボなどのような軽量であって、真球ではないものの、ほぼ球体形状の果実を，夫々の大きさごとに選別するのに適した果実用の選別装置の例を示している。
【００３８】
この果実用の選別装置において、果実を大きさごとに選別するのは、第１部材１０と第２部材２０であり、より具体的には第１部材１０に形成された第１開口部１５と、第２部材２０に形成された第２開口部２５によって形成される貫通孔３０で果実を選別することになる。よって、この第１部材１０と第２部材２０は、相互に重なり合って貫通孔３０を形成する開口部を有する形状に形成する必要がある。
【００３９】
図１および図２は、かかる第１部材１０と第２部材２０の幾つかの実施の形態を示す平面透視図である。この図１において、図１（Ａ）は、第１部材１０および第２部材２０共に四角形の開口部を形成した例であり、第２部材２０の上に第１部材１０が重なっている状態を示している。２つの部材のうち、上に存在する第１部材１０には、厚さ方向に貫通する、正方形を４５°傾けた菱形の第１開口部１５が形成されており、一方で第１部材１０の下に存在する第２部材２０にも、厚さ方向に貫通する、正方形を４５°傾けた菱形であって、前記第１開口部１５と同じ形の第２開口部２５が形成されている。そして、図１（Ａ１）に示す様に、第一開口部と第２開口部２５との重な合っている部分が僅かで、正方形に開口している貫通孔３０の開口面積が狭い状態から、図１（Ａ２）に示す様に、第２部材２０を、第１開口部１５及び第２開口部２５の対角線方向にスライド移動させる。その結果、第一開口部と第２開口部２５との重な合っている部分は広がり、此れに伴って矩形の貫通孔３０の開口面積は増加することになる。よって、第１部材１０に対して第２部材２０を差込むようにスライド移動させることにより、貫通孔３０の開口面積を無段階に増加させることができる。また、図１（Ｂ１）（Ｂ２）は、今度は重なり合っている第１部材１０と第２部材２０から、下側に存在する第２部材２０を引き抜く方向にスライド移動させることにより、第１開口部１５及び第２開口部２５の重なりによって形成される正方形の貫通孔３０の開口面積を大きくするように構成した例を示している。即ち、これら第１部材１０及び第２部材２０は、第１開口部１５と第２開口部２５との相対的な位置関係を調整することにより、重なり部分が増加する向きにスライドさせた場合に、貫通孔３０の開口面積を増加させることも、減少させることも可能になる。
【００４０】
図２は、更に他の実施の形態にかかる第１部材１０、第２部材２０、および第１開口部１５、第２開口部２５の形態を示している平面透視図である。この図２（Ａ１）に示す第１部材１０２形成されている第１開口部１５は、前記の実施形態に示したような菱形（正方形）ではなく、第２開口部２５と交差する部分が９０°に直交する二つの辺で構成されいるが、他の部分は曲線及び直線からなる輪郭線で構成されている。また第２部材２０にも第１開口部１５と同一形状であるが左右反転した形状の第２開口部２５が形成されている。このように形成された第１部材１０と第２部材２０とがスライド移動し、第１開口部１５における内角が９０°に形成されている先端部と、第２開口部２５における内角が９０°に形成されている先端部とが、他方の開口部内に侵入するように移動して相互に重なり合う事により、夫々の開口部における９０°直交する二つの辺同士で区画された正方形（菱形）の貫通孔３０が出現することになる。かかる貫通孔３０も、前記したようにその開口面積を無段階に変化させることができる。
【００４１】
また図２（Ｂ１）（Ｂ２）は、第１部材１０の先端部を内角が９０°になるように刳り貫いて、この刳り貫いた部分を開口部としている。そして第２部材２０は第１部材１０と同じように先端部を内角が９０°になる様に刳り貫いて、両者の刳り貫き部分を対向するように重ね合わせている。このように形成した場合には、第２部材２０を第１部材１０から引き抜くようにスライド移動させることにより、両開口部により区画される正方形（菱形）の貫通孔３０の開口面積（大きさ）は拡大することができる。即ち、この図２（Ｂ１）（Ｂ２）の実施の形態に示す様に、本考案における開口部は、必ずしも孔として形成されているものに限らず、切り欠いた部分も含むものである。
【００４２】
以上のような第１部材１０および第２部材２０をスライド移動させることにより、重なり合った第１開口部１５および第２開口部２５により区画される正方形（菱形）の貫通孔３０が出現し、両者の重なり合い加減により、当該貫通孔３０の大きさ（開口面積）を無段階に調整することができる。そしてこの貫通孔３０にサクランボ等の果実を載せ置くことにより、正方形（菱形）の貫通孔３０における、何れの対向する辺同士の距離も、載せ置いた果実よりも広がった段階で、当該果実は貫通孔３０を通過することができるようになる。
【００４３】
そこで、このような第１部材１０および第２部材２０を使用して、連続的に、サイズごとに果実を選別することのできるようにした果実用の選別装置を、図３及び４を参照しながら説明する。特に以下に示す図３及び４では、前記図１（Ａ１）（Ａ２）に示したように、第１開口部１５及び第２開口部２５が正方形（菱形）の形状の例を示しているが、その他にも図２に示したような各種の開口部形状にすることもできる。
【００４４】
先ず、図３は第１部材１０を円盤状に形成した果実用の選別装置の実施の形態であり、図３（Ａ）は、当該果実用の選別装置の平面図、（Ｂ）はＢ−Ｂ’断面図を示している。この実施の形態において、円盤状に形成した第１部材１０には、正方形に形成した合計８個の第１開口部１５が、周方向に等間隔に配置されている。そして第１部材１０の下側であって、且つ夫々の第１開口部１５が存在する場所には、当該各第１開口部１５に対応する板状の第２部材２０を設けている。この第２部材２０は、円盤状の第１部材１０に対して、その放射方向にスライド自在に設けられており、スライド動作中において、第１開口部１５と重なり合う正方形の第２開口部２５が形成されている。
【００４５】
この円盤状の第１部材１０は、その中心部１７に接続されたモーターなどの駆動装置によって回転されており、本実施の形態では反時計回りに回転するように形成している。また、第１部材１０の下側には、第２部材２０における第１部材１０の回転中心側１７（以下「基端側」とする）に形成された軸部２７を案内するガイド部４０が形成されている。このガイド部４０は、全体略環状に形成されており、その中心部は、前記第１部材１０の回転中心１７から偏心した位置に存在する様に設けられている。また、第１部材１０における第１開口部１５の下側には、選別した果実を回収する為の受け部材４２を設けている。
【００４６】
以上のように形成された果実用の選別装置においてじは、モーター等の駆動装置によって、第１部材１０が回転されると、その回転に伴って第２部材２０も第１部材１０の回転軸を中心に回転する事になる。一方で、この第２部材２０の基端側に設けられた軸部２７は、第１部材１０に対して偏心して配置されたガイド部４０材によって案内されることから、当該第１部材１０の回転に伴って、第１部材１０の裏側を、その放射方向にスライド移動することになる。なお、本実施の形態において、ガイド部４０は二重の管状に形成されて両者間で軸部２７を挟むように構成されている。
【００４７】
そして第２部材２０が第１部材１０に対してスライド移動することにより、第１開口部１５と第２開口部２５との重なり合いは大きくなったり小さくなったりし、その結果、貫通孔３０の大きさ、即ち開口面積が、第１部材１０の回転に伴って変化することになる。
【００４８】
よって、第１部材１０の開口部状に選別対象となる果実を載せれば、当該果実の大きさに貫通孔が開口した所、即ち回転位置で、当該果実は貫通孔３０を通過して、その下に存在する受け部材４２で回収されることになる。そこで、この受け部材４２を貫通孔３０の開き具合に応じて、第１部材１０の周方向に複数区分けして設置しておけば、大きさが一定の範囲内の果実を集めて回収することができる。
【００４９】
なお、第１開口部１５と第２開口部２５の大きさを一辺が約５０ｍｍの正方形とし、ガイド部４０材の中心を第１部材１０の回転中心から約１０ｍｍずらす事により、貫通孔３０の大きさを一辺が約２０ｍｍの正方形から、一辺が約５０ｍｍの正方形まで連続的に変化させることができる。そして、この貫通孔３０の大きさは、現在、サクランボについて規格化されている最大外径の１５ｍｍ〜３５ｍｍの範囲をカバーすることができる。また図３（Ｂ）に符号１９で示している漏斗状部は、図３（Ａ）では省略しているが、その詳細は図５に示している。
【００５０】
また、図４は第１部材１０を矩形の板状に形成すると共に、第２部材２０を当該第１部材１０と重なり合う大きさの矩形の板状に形成した果実用の選別装置についての実施の形態を示しており、図４（Ａ）はこの実施の形態にかかる果実用の選別装置の平面図、（Ｂ）は（Ａ）におけるＢ−Ｂ’断面端面図、（Ｃ）は（Ａ）におけるＣ−Ｃ’断面端面図、（Ｄ）は（Ａ）におけるＤ−Ｄ’断面端面図を示している。
【００５１】
先ず、図４（Ａ）に示す様に、この実施の形態にかかる果実用の選別装置は、前記図１（Ａ１）（Ａ２）に示した形状の第１部材１０及び第２部材２０が使用されており、第１部材１０は、図面において上方に存在する搬送部材５０に軸着され、第２部材２０は、当該第１部材１０が軸着された搬送部材５０と対向する他の搬送部材５０（図面において下方の搬送部材５０）に軸着されている。
【００５２】
そしてこの搬送部材５０同士の間隔は、当該搬送部材５０の移動方向に進むにつれて狭まっており、図面では右側が搬送部材５０同士の間隔が広く、左に向かうに従って搬送部材５０同士の間隔が狭まっている。即ち、上面視略「ハ」字状に配置された搬送部材５０間を、夫々に軸着された第１部材１０と第２部材２０が移動すると、当然のことながら搬送部材５０間の幅方向にスライド移動することになる。その結果、この実施の形態に示す果実用の選別装置では、第１開口部１５と第２開口部２５との重なりが大きくなり、両開口部で形成される貫通孔３０の開口面積が拡大することになる。
【００５３】
なお、この実施の形態において搬送部材５０として使用し得るものとしては、チェーン、ベルト、ロープなど、ベルトコンベアーのようにして第１部材１０及び第２部材２０を搬送できるものであれば適宜使用可能である。
【００５４】
そしてこのように形成された果実用の選別装置においては、貫通孔３０が最も小さい所で第１開口部の上に、選別対象となる果実を載せると、その果実が通過できるまで貫通孔３０が広がった地点で、当該果実は貫通孔３０を通過することになる。よって、所定の範囲ごとに、落下した果実を集めることにより、大きさが一定の範囲内の果実を選別することができる。
【００５５】
上記したような果実用の選別装置では、貫通孔３０が正方形に開口することから、対向する辺同士の距離は２方向で同じになる。よって、果実も２方向における大きさが判断されることから、多少変形しているような果実であっても、正確にその大きさを判断することができる。
【００５６】
なお、上記実施の形態において、第１部材１０および第２部材２０は、例えばプラスチックなどを用いて形成することができ、例えばサクランボなどのような比較的軽量の果実を選別対照とする場合には、２ｍｍ厚のプラスチック板を使用することができる。また、第１開口部１５と第２開口部２５は、選別する果実の大きさに応じて適宜設定することができるが、例えばサクランボなどにおいては、一辺が約５０ｍｍの正方形に形成することが望ましい。これにより、第１開口部１５と第２開口部２５とで形成することのできる貫通孔３０の大きさは、一辺が０ｍｍ（孔が開いていない状態）〜５０ｍｍの正方形まで変化させることができる。
【００５７】
そして図５は、重ね合わせられる第１部材１０および第２部材２０のうち、選別対象となる果実が載せられる部材、即ち上に存在する部材の開口部近傍に漏斗状部１９を形成した例を示している。この漏斗状部１９は、上方に向かってラッパ状に広がっており、これによりサクランボのように枝のついた果実であっても、枝の部分が貫通孔３０に当たることが無くなり、果実事態の大きさを測定できるようになる。なお、この漏斗状部を設置した状態は、図３（Ｂ）に示している。
【産業上の利用可能性】
【００５８】
本考案にかかる果実用の選別装置によれば、新たな果実用の選別装置の提供になり、農業機械分野の産業の活性化を図ることができるのみならず、これを利用する農業分野においても、作業の軽減や効率化を図ることができる。
【符号の説明】
【００５９】
１０ 第１部材
１５ 第１開口部
１７ 回転中心
１９ 漏斗状部
２０ 第２部材
２５ 第２開口部
３０ 貫通孔
４０ ガイド部
５０ 搬送部材
【図１】
0003162470.tif 000003
【図２】
0003162470.tif 000004
【図３】
0003162470.tif 000005
【図４】
0003162470.tif 000006
【図５】
0003162470.tif 000007